(57)【特許請求の範囲】
【請求項１】
光画像を停止画像を表すディジタル電気信号に変換する手段と、
少なくとも一つ以上の特定電話番号を貯蔵する手段と、
電話番号を有する遠隔装置を指定するために無線電話システムによって形成された電磁気信号を伝送する手段と、
前記停止画像を表すディジタル電気信号を無線電話システムによって形成された停止画像信号を含む電磁気信号に変更する手段と、
前記電磁気信号に含められた少ない画素数を有する停止画像信号を形成するために前記変換手段によって変換された停止画像の画素数を減らせる手段と、
遠隔装置を指定する電話番号が特定電話番号と一致する場合に、前記減少手段が作動しないように前記減少手段を制御し、それによって前記減少手段が前記変換手段によって変換された停止画像の画素数を減少せず前記電磁気信号に含められた停止画像信号を形成するようにする制御手段を含む遠隔通信可能なディジタルスチルカメラ。
【請求項２】
前記貯蔵手段は第１画素数を有する画像信号が受信できる遠隔装置に該当する第１グループに分類された多数の電話番号と、第２画素数を有する画像信号が受信できる遠隔装置に該当する第２グループに分類された多数の電話番号を貯蔵し、前記第１画素数は第２画素数より小さいことを特徴とする請求項１記載の遠隔通信可能なディジタルスチルカメラ。
【請求項３】
前記制御手段は遠隔装置を指定する電話番号が前記第１グループの任意電話番号と一致する場合に前記減少手段を作動することによって、前記変更手段が小さい画素数の停止画像信号を含む電磁気信号を形成することを特徴とする請求項２記載の遠隔通信可能なディジタルスチルカメラ。
【請求項４】
前記制御手段は遠隔装置を指定する電話番号が第１グループと第２グループのいずれの電話番号とも一致しない場合には前記減少手段を作動しないことによって、前記変更手段が前記変換手段によって変換された停止画像の画素数を減少せず電磁気信号に含まれる停止画像信号を形成することを特徴とする請求項２記載の遠隔通信可能なディジタルスチルカメラ。
【請求項５】
前記減少手段は画素数の減少によって停止画像信号の一フレーム伝送陣管をさらに減少させることを特徴とする請求項２記載の遠隔通信可能なディジタルスチルカメラ。
【請求項６】
光画像を第２画素数を有する停止画像を表すディジタル電気信号に変換する手段と、
第１画素数を有する画像信号を受信する機能を有する遠隔装置に該当する特定電話番号を少なくとも一つ以上貯蔵する手段と、
電話番号を有する遠隔装置を指定するために無線電話システムによって形成された電磁気信号を伝送する手段と、
前記停止画像を表すディジタル電気信号を無線電話システムに従って形成された停止画像信号を含む電磁気信号に変更する手段と、
前記電磁気信号に含められた少ない画素数を有する停止画像信号を形成するために前記変換手段によって変換された停止画像の画素数を減少させる手段と、
前記変更手段によって変更された停止画像信号を含む電磁気信号を伝送する手段と、
遠隔装置を指定する電話番号が特定電話番号と一致する場合に、前記減少手段が作動されるように前記減少手段を制御し、それによって前記減少手段が電磁気信号に含められた少ない画素数を有する停止画像を形成するようにする制御手段を含み、前記第１画素数は第２画素数より小さいことを特徴とする遠隔通信可能なディジタルスチルカメラ。
【請求項７】
光画像を第２画素数を有する停止画像を表すディジタル電気信号に変換する手段と、
第１画素数の画像信号が受信できる遠隔装置に該当する特定電話番号を少なくとも一つ以上貯蔵する手段と、
電話番号を有する遠隔装置を指定するために無線電話システムによって形成された電磁気信号を伝送する手段と、
前記停止画像を表すディジタル電気信号を無線電話システムによって形成された停止画像信号を含む電磁気信号に変更する手段と、
前記電磁気信号に含められた少ない画素数を有する停止画像信号を形成するために前記変換手段によって変換された停止画像の画素数を減少する手段と、
前記変更手段によって変更された停止画像信号を含む電磁気信号を伝送する手段と、
遠隔装置を指定する電話番号が特定電話番号と一致しない場合、前記減少手段が作動しないように前記減少手段を制御し、それによって前記減少手段が前記変換手段によって変換された停止画像の画素数を減少させずに前記電磁気信号に含められた停止画像信号を形成させる制御手段を含み、前記第１画素数は第２画素数より小さいことを特徴とする遠隔通信可能なディジタルスチルカメラ。
【発明の詳細な説明】
【０００１】
【発明の属する技術分野】
本発明は光画像を停止画像を表すディジタル電気信号に変換し、前記ディジタル電気信号を貯蔵するディジタルスチルカメラに関するもので、より詳しく説明すると、無線電話システムによって形成された電磁気信号を利用して遠隔通信できるディジタルスチルカメラに関する。
【０００２】
【従来の技術】
ディジタルスチルカメラの分野に於いて、停止画像を表すディジタル電気信号の通信が様々な形態で提案されて来た。一般的な通信形態としては、ディジタルスチルカメラをモデムを通じて無線電話に連結してディジタルスチルカメラにより撮影された停止画像ディジタル電気信号をコンピュータなどの遠隔装置で伝送し、電話線に連結されている遠隔装置が前記信号を受信するものである。
【０００３】
特開平６−１３３０８１号公報及び特開平６−２６８５８２号公報に、各々無線電話を一つの分離できないハウジング内に内蔵したディジタルスチルカメラが記載されている。無線電話とディジタルスチルカメラを一つの分離できないハウジング内に結合する目的は、撮影された停止画像ディジタル電気信号を貯蔵するメモリ装置の容量を確保するためである。
【０００４】
すなわち、無線電話システムによって形成された電磁気信号の代わりに停止画像を表すディジタル電気信号をディジタルスチルカメラから遠く離れたコンピュータの大容量のメモリ装置に伝送する。
【０００５】
停止画像を表すディジタル電気信号はまたディジタルスチルカメラそのものに含められているメモリ装置に貯蔵しなければならない。
【０００６】
従って、前記ディジタルスチルカメラはそのものに大容量のメモリ装置がなくても連続して多数の画面を撮影、貯蔵できるので小型でまた安いディジタルスチルカメラが製作できる長所がある。
【０００７】
すなわち、前記特開平６−１３３０８１公報または特開平６−２６８５８２号公報に開示されたシステムは受信装置から遠く離れたディジタルスチルカメラによって撮影された停止画像を表すディジタル電気信号を受信するための装置内に大容量のメモリ装置が内蔵されているのが特徴である。
【０００８】
【発明が解決しようとする課題】
本発明の目的は、前記従来の技術とは違って、他のディジタルスチルカメラによって撮影された停止画像を表すディジタル電気信号を受信してディスプレーできる遠隔通信可能なディジタルスチルカメラを提供することである。
【０００９】
すなわち、本発明によって提供されるディジタルスチルカメラは、他のディジタルスチルカメラによって撮影された停止画像を表すディジタル電気信号を受信するための装置であって、必ずしもそれ自体に大容量のメモリ装置が内蔵された装置ではない。
【００１０】
本発明の他の目的は、混信なく画像信号と音声信号を適切に受信できる遠隔通信可能なディジタルスチルカメラを提供することである。
【００１１】
また、本発明の他の目的は、画像信号と音声信号を同時に通信できる遠隔通信可能なディジタルスチルカメラを提供することである。
【００１２】
また、本発明の他の目的は、画像信号の受信機能がない通常のものを含む多様な形態の電話機と通信できる遠隔通信可能なディジタルスチルカメラを提供することである。
【００１３】
また、本発明の他の目的は、通常のコンピュータが内蔵された多様な形態の遠隔装置と通信できる遠隔通信可能なディジタルスチルカメラを提供することである。
【００１４】
また、本発明の他の目的は、最少の通信時間で同一種類のディジタルスチルカメラと通信できる、遠隔通信可能なディジタルスチルカメラを提供するためのものである。
【００１５】
【課題を解決するための手段】
これらの目的を達成するため、本発明のディジタルスチルカメラは、光画像を停止画像を表すディジタル電気信号に変換する手段と、少なくとも一つ以上の特定電話番号を貯蔵する手段と、電話番号を有する遠隔装置を指定するために無線電話システムによって形成された電磁気信号を伝送する手段と、停止画像を表すディジタル電気信号を無線電話システムによって形成された停止画像信号を含む電磁気信号に変更する手段と、電磁気信号に含められた小さい画素数を有する停止画像信号を形成するために前記変換手段によって変換された停止画像の画素数を減少させる手段と、変更手段によって変更された停止画像信号を含む電磁気信号を伝送する手段と、遠隔装置を指定する電話番号が特定電話番号と一致する場合に、減少手段が作動しないように減少手段を制御し、それによって減少手段が変換手段によって変換された停止画像の画素数を減少せず電磁気信号に含められた停止画像信号を形成するようにする制御手段を含む。
【００１６】
【発明の実施の形態】
本発明の実施例を添付図面を参照に詳しく説明する。
本発明の実施例に従うディジタルスチルカメラは、添付した図１に図示されているように、一つの分離できないハウジング内にマイクロホン２とスピーカー３を含めるディジタル無線電話よりなる。
【００１７】
このディジタルスチルカメラは、電源を貯蔵するための背面照明がない反射形態のカラー液晶表示装置(ＬＣＤ)４を含めて、前記表示装置４は６０、０００
画素のカラーディジタル画像を表示し、表示装置４上にディジタル無線電話のダイアルボタンとして作用するようにタッチパネルが形成されている。
【００１８】
カメラレンズ５は回転可能で普通は矢印Ｄに向かっている。即ち、レンズ５は普通表示装置４が観察できない所に位置する物体に向かっている。
前記レンズ５は点線で表示されたように選択的に表示装置４が観察できる所に位置した物体に向かうことができる。即ち、点線位置でのレンズ５は表示装置４を観察する使用者に向かう。
【００１９】
スピーカー３とマイクロホン２はこれに近い使用者の目と耳で各々使用される近接モードと、これから遠く離れた使用者の目と耳で各々使用される遠隔モードによって作動する。
【００２０】
手動スイッチ６は停止画像を表示するために表示装置４を“ＯＮ”に駆動させ、スピーカー３とマイクロホン６は手動スイッチ６によって表示装置４が駆動される場合に自動的に第２モードに可変する。
【００２１】
手動要請スイッチ７は画像伝送を要求するためのもので、スイッチ８が作動される場合にペンで画像を入力するように表示装置４上にペン入力タッチパネルが形成される。９はシャッタリリーズボタンである。
【００２２】
図２に於いて、太い線は情報の流れを表し、細い線は制御関係を表す。
【００２３】
添付図２に図示されているように本発明の実施例によるディジタルスチルカメラの構成は光画像を停止画像を表すディジタル電気信号に変換させるＣＣＤカメラ１０と、無線電話システムによって形成された電磁気信号を送／受信する送／受信切換部１１と、前記送／受信切換部１１の出力段に連結されて印加される電磁気信号を復調して出力する復調部１２と、前記復調部１２の出力段に連結されて印加される電磁気信号を停止画像を表すディジタル電気信号に変換出力するＡ／Ｄコンバータ１３と、前記Ａ／Ｄコンバータ１３の出力段に連結されたスイッチング部１５と、前記スイッチング部１５の出力段に連結されて印加される停止画像信号と音声信号を含む電磁気信号から音声信号成分及び画像信号成分を抽出して各々出力する抽出部２２と前記抽出部２２の出力段に連結されて印加されるディシタル電気信号を貯蔵したり、またはＣＣＤカメラ１０から出力されるディジタル電気信号を貯蔵するメモリ１４と、前記送／受信切換部１１、復調部１２によって受信された無線電話システムによって形成された電磁気信号に応じて音声信号を生成するスピーカー３と、前記スピーカー３を近接モードまたは遠隔モードで作動させる第１モード変換部１８と、前記Ａ／Ｄ変換部１３に出力される電磁気信号から停止画像電磁気信号を区別して前記スイッチング部１５を自動で第１モードから第２モードに制御する第１職別部１６と、前記職別部１６の出力段に連結されて前記表示装置４が受信された信号が画像信号または音声信号を含む信号であるかを表示するように制御する表示制御部２０と、前記第１職別部１６の出力段に連結されて第２モードでスピーカー３が音声信号を生成しないように前記第１モード変換部１８を“ＯＦＦ”状態に作る第１禁止部１７と、前記第１禁止部１７の入力段に連結されてスイッチング部１５が第１モードから第２モードに作動されるように選択する手動要請スイッチ７と、前記Ａ／Ｄ変換部１３の出力段に連結されて無線電話システムによって形成された電話番号信号を受信する電話番号受信部３８と、前記Ａ／Ｄ変換部１３の出力段に連結されて伝送される応答信号を受信する応答受信部４０を含めてからなる。
【００２４】
前記のように他のディジタルカメラから伝送される電磁気信号を受信処理して該当音声信号を出力し、画像信号を表示する構成以外にも本発明の実施例によるディジタルスチルカメラは音声を電気音声信号に変換するマイクロホン２と、前記マイクロホン２の出力段に連結されてマイクロホン２を近接あるいは遠隔モードで作動させる第２モード変換部２１と、前記メモリ１４の出力段に連結されて印加される電磁気画像信号より画素数が少ない停止画像信号を生成して出力する第１変更部４１と、前記第１変更部４１と前記第２モード変換部２１の出力段に連結されて印加される電気音声信号と印加される画像信号を組合して出力する組合部２３と、印加される画像信号とスイッチ８の作動時にペン入力による信号をミックスして出力する第１ミックス部３４と、前記組合部２３と第１ミックス部３４の出力段に連結されて印加される信号を選択的に出力する選択部２４と、表示装置４上にタッチパネルで形成されたダイアル２８と、少なくとも一つの特定電話番号を貯蔵する電話番号メモリ２９と、前記ダイアル２８の出力段に連結されてダイヤリングした電話番号と貯蔵された電話番号を比較する第１比較部３０と、第２比較部４７と、前記第１比較部３０の出力段に連結されてダイヤリングした電話番号が電話番号メモリ２９の特定電話番号に該当する遠隔装置を表す場合に、前記組合部２３が電気音声信号と停止画像を表すディジタル電気信号を組合しないように禁止させる第２禁止部３１と、前記第２比較部４７の出力段に連結されて前記第１変更部４１を制御する制御部４３と、前記メモリ１４の出力段に連結されて印加されるディジタル停止画像信号が第１形態の画像信号であるか第２形態の画像信号であるかを職別してそれによって印加される停止画像信号の画素数を減少させて表示装置４で出力する第２変更部３５と、前記電話番号受信部３８の出力段に連結されて伝送信号の受信応答信号を出力する応答部３９と、前記選択部２４と応答部３９とダイアル２８の出力段に連結されて印加される多数の信号をミックスして出力する第２ミックス部２５と、前記第２ミックス部２５の出力段に連結されて印加される信号をアナログ信号に変換出力するＤ／Ａ変換部２６と、前記Ｄ／Ａ変換部２６の出力段に連結されて印加される信号を変調して前記送／受信切換部１１に出力する変調部２７と、前記第２禁止部３１の入力段に連結された画像伝送要請スイッチ３２をさらに含めてからなる。
【００２５】
前記第１変更部４１はメモリ１４から印加される画像信号の画素数を減らせて出力する第１減少部４２を含み、前記第２変更部３５はメモリ１４から印加される画像信号が第１形態画像信号であるか第２形態画像信号であるかを職別する第２職別部３７と、前記第２職別部３７の出力段に連結されて印加される画像信号を減少させて表示装置４で出力する第２減少部３６を含めてからなる。
【００２６】
その他にもカードなどから印加される画像信号をメモリ１４に出力する入出力インタペース４４とメモリカード４６をさらに含めてからなる。
【００２７】
前記送／受信切換部１１は電磁気信号を送／受信する機能以外に送受信される電磁気信号を増幅する機能も有する。
【００２８】
次にディジタルメモリ１４、表示装置４、ＣＣＤカメラ１０によって処理される停止画像信号の大きさ関係を説明する。
【００２９】
本発明の実施例による第１形態画像信号は一つのフレーム当たり６０、０００画素数を有するカラー停止画像信号であり、第２形態画像信号は一つのフレーム当たり２４０、０００画素数を有するカラー停止画像信号である。
【００３０】
大きさすなわち、ディジタルメモリ１４、表示装置４、ＣＣＤカメラ１０によって処理される一フレーム停止画像の画素数は２４０、０００であり、第１形態の電磁気信号に含められた停止画像信号のピクセル数６０、０００より多い。
【００３１】
表示装置４によって処理される一フレーム当たり停止画像のピクセル数は６０、０００であり、実際に第１形態の電磁気信号に含められる停止画像の画素数と同一である。
【００３２】
それに反して第２形態の電磁気信号に含められた停止画像信号の画素数は２４０、０００であり、実際にＣＣＤカメラ１０によって処理される一フレーム当たり停止画像の画素数と同一である。
【００３３】
本発明の一番重要な特徴は６０、０００画素の表示装置４上に画像を表示するために停止画像を伝送して受信する場合に、一フレーム当たり停止画像の画素数が２４０、０００から６０、０００に減少されることである。
【００３４】
これは一フレームの停止画像信号を同形態のディジタルスチルカメラと交換するためにディジタルスチルカメラに要される時間を減少させる。
【００３５】
前記表示装置４は外部の遠隔装置から受信された第２形態の電磁気信号または第１形態または第２形態の電磁気信号またはＣＣＤカメラ１０からのディジタル電磁気信号に基づいて停止画像を選択的に表示することができる。
【００３６】
入力／出力インタペース４４はディジタルメモリ１４からディジタル電磁気信号を取り出すための手段として作用し、取り出された一フレーム当たり停止画像信号の画素数２４０、０００は第１形態の電磁気信号に含められた停止画像信号の画素数すなわち、６０、０００より多い。入力／出力インタペース４４はカード４５を外部装置に連結する手段を含む。
【００３７】
メモリカード４６はまたディジタルメモリ１４からディジタル電気信号を取り出すための手段として作用し、取り出された一フレーム当たり停止画像信号の画素数２４０、０００は第１形態の電磁気信号に含められた停止画像信号の画素数即ち、６０、０００より多い。メモリカード４６は一フレーム当たり２４０、０００画素の停止画像を貯蔵するメモリとして作用し、ディジタルスチルカメラに挿入される。すなわち、メモリ用カードスロットがディジタルスチル画像メモリそのものをディジタルスチルカメラ外部に除去するための手段として作用する。
【００３８】
本発明の実施例による遠隔通信可能なディジタルスチルカメラは添付した図３に図示されているように光画像を停止画像信号に変換した後指定電話番号を有する遠隔装置に送信しようとする場合、前記指定された電話番号が画像信号受信機能のない遠隔装置に該当する特定電話番号(第１グループ)と一致する場合には前記停止画像信号の画素数を減少せずに伝送し、前記指定された電話番号が画像信号受信機能を有する遠隔装置に該当する特定電話番号(第２グループ)と一致する場合には前記停止画像信号の画素数を減少させて伝送する。
【００３９】
次に本発明の実施例によるディジタルスチルカメラの作用を添付した図２に図示された多数の構成要素間の関係を通じて詳しく説明する。
【００４０】
まず、他のディジタルスチルカメラから伝送される信号すなわち、無線電話システムによって形成された電磁気画像信号を受信して表示する動作と他の電話機から送信される信号すなわち、無線電話システムによって形成された電磁気音声信号を受信して出力する動作に対して説明する。
【００４１】
添付した図２及び図３に図示されているようにアンテナは他のディジタルスチルカメラまたは電話機などの遠隔装置から伝送される電磁気信号を受信し、この時送／受信切換部１１は受信モードで作動して前記アンテナによって受信された電磁気信号を復調部１２に出力する。
【００４２】
前記復調部１２は受信された電磁気信号を復調処理して出力し、前記Ａ／Ｄ変換部１３は復調処理された電磁気信号を該当ディジタル電気信号に変換して出力する。
【００４３】
他の遠隔装置から本発明の実施例によるディジタルスチルカメラを指定する電話番号が前記のようにアンテナ、送／受信切換部１１、復調部１２、そしてＡ／Ｄ変換部１３を通じて電話番号受信部３８に受信されると、応答部３９が通信する意味の第１応答信号を出力し、前記第１応答信号は第２ミックス部２５、Ｄ／Ａ変換部２６、変調部２７そして送／受信切換部１１を通じて前記遠隔装置に送信される。
【００４４】
前記第１応答信号は本発明の実施例によるディジタルスチルカメラが一フレーム当たり６０、０００画素を有する第１形態の停止画像信号が受信できる種類であることを表す信号である。
【００４５】
前記電話番号受信部３８は無線電話システムによって形成された電磁気信号に応答して伝送される信号を受信するようにディジタルスチルカメラを自動的に作動させる。
【００４６】
第１応答信号送信によって前記遠隔装置から停止画像信号を含む電磁気信号が送信されて前記動作によって受信処理された後、前記Ａ／Ｄ変換部１３から出力された信号はスイッチング部１５と第１職別部１６に各々入力される。
【００４７】
前記第１職別部１６は音声信号を含むディジタル電池信号から停止画像信号を職別して自動的に前記スイッチング部１５を第１モードから第２モードに作動するように制御し、第１禁止部１７に該当信号を出力する。
【００４８】
この時、表示装置４は前記第１職別部１６に応じて受信された信号が停止画像信号であるかあるいは音声信号を含む信号であるかを文字または記号で画面上に表示する。
【００４９】
前記スイッチング部１５は受信された電磁気信号によってスピーカー３によって音声信号を出力させる第１モードと、受信された電磁気信号によって表示装置４上に画像を表示させる第２モードで各々作動する。
【００５０】
本発明の実施例ではディジタルスチルカメラが自動駆動部１９によって他の遠隔装置から送信される電話番号に応じて送信される停止画像信号を自動に受信するように、第１職別部１６によってスイッチング部１５が自動で第１モードから第２モードに作動される自動モード状態である。
【００５１】
しかし、第１職別部１６によってスイッチング部１５が第１モードから第２モードに自動に作動されない手動モードである場合には手動要請スイッチ７によって前記スイッチング部１５が手動で第１モードから第２モードで作動され、また手動モードである場合に手動スイッチ６によって表示装置４が駆動され、前記第１、第２モード変換部２１、１８を第１モードから第２モードに変換される。
【００５２】
前記第１職別部１６によって第２モードで作動された場合に、前記スイッチング部１５はＡ／Ｄ変換部１３から出力されるディジタル電気信号をメモリ１４に出力する。この時、前記第１禁止部１７は前記第１職別部１６から出力される信号によって第２モードでスピーカー３が音声信号を生成しないように第２モード変換部１８を“ＯＦＦ”状態に制御する。
【００５３】
前記メモリ１４に入力された画像信号は第２変更部３５を通じて表示装置４に出力される。前記第２変更部３５の第２職別部３７は印加される画像信号が第１形態画像信号であるかまたは第２形態画像信号であるかを職別して、職別結果に該当する制御信号を第２減少部３６に出力する。表示装置４の画素数は前記第１形態画像信号と同一な６０、０００である。
【００５４】
即ち、前記第２職別部３７は受信された画素信号の画素数が表示装置４の画素数と一致するように前記第２減少部３６を作動させる。
【００５５】
より詳しく説明すると、前記受信された画像信号が第１形態画像信号である場合には表示装置４の画素数と同一な画素数を有することによって前記第２職別部３７が第２減少部３６を作動させない。従ってメモリ１４から出力された受信画像信号は画素数が変更されずにそのまま一フレーム当たり６０、０００画素数を有する信号として表示装置４に出力する。
【００５６】
しかし前記受信画像信号が第２形態画像信号である場合には受信された画像信号の画素数が表示装置４の画素数より多いことにより、前記第２職別部３７は第２減少部３６を作動させる。従って、メモリ１４から出力された受信画像信号は第２減少部３６を通じて一フレーム当たり２４０、０００画素から６０、０００画素に減少されて表示装置４に出力、再生される。
【００５７】
前記のように表示装置４上に画像が表示されて他の遠隔装置と話す場合は画像信号が伝送される間音声信号が伝送される場合である。かかる場合に停止画像を表すディジタル電気信号と電気音声信号の組合は無線電話システムによって形成された電磁気信号で受信される。
【００５８】
停止画像信号と音声信号を含む電磁気信号が受信された場合に前記第１職別部１６は前記信号から音声信号を職別して前記スイッチング部１５を第１モードに作動するように制御し、前記スイッチング部１５は抽出部２２に前記信号を出力する。
【００５９】
前記抽出部２２は前記信号からスピーカー３を制御するための音声信号成分と表示装置４を制御するための停止画像信号成分を各々抽出する。
【００６０】
この時、前記第１禁止部１７は第１モード変換部１８を作動させ、前記抽出部２２によって抽出された音声信号は第１モード変換部１８に出力され、画像信号はメモリ１４に出力される。
【００６１】
前記音声信号は第１モード変換部１８を通じてスピーカー３によって出力され、前記メモリ１４に入力された停止画像信号は第２変更部３５によって処理された後、表示装置４上に出力される。
【００６２】
従って、表示装置４が音声信号がスピーカー３から再生される間に停止画像を表示することによって使用者は他の遠隔装置から伝送される画像を見ながら音声を聞けるようになる。
【００６３】
次は本発明の実施例によるディジタルスチルカメラによって生成された停止画像と音声を他の遠隔装置に送信する場合を説明する。
【００６４】
使用者が表示装置４にタッチパネルで形成されているダイアル２８を作動させて停止画像と音声を伝送しようとする無線電話などの遠隔装置の電話番号を指定すると、指定された電話番号が第２ミックス部２５、Ｄ／Ａ変換部２６、変調部２７、送／受信切換部１１を通じて無線電話システムによって形成された電磁気信号で該当遠隔装置へ送信される。
【００６５】
前記Ｄ／Ａ変換部２６は電話番号に該当するアナログ信号をディジタル信号に変換出力し、前記変調部２７は前記ディジタル信号を変調し、前記送／受信切換部１１が変調された信号を該当遠隔装置に送信する。
【００６６】
この時、前記ダイヤリングした電話番号は第１比較部３０と第２比較部４７に各々入力される。
【００６７】
使用者がメッセージを話すと、使用者のメッセージに該当する音声がマイクロホン２を通じて該当する電気音声信号に変換されて第２モード変換部２１に出力される。
【００６８】
前記第２モード変換部２１は入力された音声信号を組合部２３に出力し、前記組合部２３に入力された音声信号はＤ／Ａ変換部２６と変調部２７とそして送／受信切換部１１を通じて該当遠隔装置に伝送される。
【００６９】
前記組合部２３は音声信号が送信される間ＣＣＤカメラ１０に撮影された停止画像を組合することができるので、音声信号が送信される間停止画像信号を送信することができる。
【００７０】
まず、ＣＣＤカメラ１０に撮影された停止画像信号はメモリ１４に貯蔵され、他の遠隔装置に送信される場合に第１変更部４１に出力される。第１変更部４１に入力された停止画像信号は組合部２３に出力され、前記組合部２３は第２禁止部３１に出力される制御信号によって印加される音声信号及び画像信号を組合して出力する。
【００７１】
より詳しく説明すると、前記第１比較部３０はダイヤリングした電話番号が入力されると、入力された電話番号と電話番号メモリ２９に貯蔵されている特定電話番号を比較してそれに該当する信号を第２禁止部３１に出力する。
【００７２】
前記電話番号メモリ２９は少なくとも一つ以上の停止画像信号を受信しない遠隔装置に該当する第１電話番号を貯蔵しており、または少なくとも一つ以上の停止画像信号を受信する機能を有する遠隔装置に該当する第２電話番号を貯蔵している。
【００７３】
前記第１比較部３０から入力される電話番号が電話番号メモリ２９に貯蔵された第１電話番号と一致する信号が出力されると、前記第２禁止部３１は前記組合部２３が音声信号と画像信号を組合せしないように制御する。
また、前記第２禁止部３１は選択部２４が画像信号を選択出力しないように制御する。
【００７４】
それに反して、前記第１比較部３０をダイヤリングした電話番号が電話番号メモリ２９に貯蔵された第２電話番号と一致する意味の信号を出力すると、前記第２禁止部３１は前記組合部２３が印加される音声信号と停止画像信号を組合するように制御し、また選択部２４が画像信号を選択するように制御する。
【００７５】
かかるように停止画像信号の組合及び選択が許容される場合には、ダイヤリングした電話番号が停止画像信号を受信できる機能を有する遠隔装置に該当する特定電話番号と一致する場合である。
【００７６】
しかし、前記第２禁止部３１は画像送信要請スイッチ３２が作動されると、音声信号と画像信号が組合されるように前記組合部２３及び選択部２４を制御する。
【００７７】
従って、画像送信要請スイッチ３２が作動されたり、ダイヤリングした電話番号が電話番号メモリ２９に貯蔵された第１電話番号と一致しない場合にだけ停止画像信号と音声信号の組合よりなる。
【００７８】
前記マイクロホン２を通じて入力された音声信号とＣＣＤカメラ１０によって撮影された停止画像信号が組合された組合せ信号はＤ／Ａ変換部２６、変調部２７そして送／受信切換部１１を通じて該当遠隔装置すなわち、停止画像信号を受信できる機能を有する遠隔装置に送信される。
【００７９】
前記選択部２４は組合部２３から印加される音声信号を含む停止画像信号と第１ミックス部３４から出力される音声信号を含めない停止画像信号の中一つを選択してＤ／Ａ変換部２６へ出力する。
【００８０】
前記組合部２３及び第２ミックス３４に入力される停止画像信号は第１変更部４１によって次のように処理される。
【００８１】
前記ダイヤリングした電話番号の送信によって該当遠隔装置から通信すると言う第２応答信号が送信される。応答受信部４０が前記指定された遠隔装置から送信される第２応答信号を受信して該当信号を制御部４３に出力する。
【００８２】
前記第２応答信号は指定された遠隔装置が一フレーム当たり６０、０００画素数を有する停止画像信号を受信する特定形態の遠隔装置であることを表す信号である。
【００８３】
前記制御部４３は前記応答受信部４０によって指定された遠隔装置から一フレーム当たり６０、０００画素数を有する停止画像信号を受信できると言う第２応答信号が受信された場合には第１変更部４１を駆動してディジタルメモリ１４から出力される停止画像信号の画素数を減らす。
【００８４】
前記第１変更部４１の第１減少部４２は停止画像信号の伝送時間を減らすためにディジタルメモリ１４から出力される停止画像信号の画素数を減少して出力する。すなわち、一フレーム当たり２４０、０００画素数であるメモリ１４の画像信号を一フレーム当たり６０、０００画素数である画像信号に減少して出力する。
【００８５】
前記第１減少部４２は応答受信部４０が指定された特定形態(一フレーム当たり６、０００画素数である画像信号を伝送する形態)である遠隔装置から送信される第２応答信号が受信できなかった場合には作動せず、この場合にはディジタルメモリ１４から出力される停止画像信号の画素数を減少せずそのまま出力する。
【００８６】
前記第１減少部４２から出力された停止画像信号は第１ミックス部３４に入力され、前記第１ミックス部３４は入力スイッチ８の作動によって入力されるペン入力信号を前記画像信号とミックスして選択部２４に出力することによって、前記停止画像信号は第２ミックス部２５、Ｄ／Ａ変換部２６、変調部２７、送／受信切換部１１を通じて他のディジタルスチルカメラに伝送される。
【００８７】
前記のように第１減少部４２が他の遠隔装置から伝送される第２応答信号の受信如何によって停止画像信号の画素数を減少させる以外に、ダイヤリングした電話番号と電話番号メモリ２９に貯蔵された特定電話番号り一致如何によって停止画像信号の画素数を減少することができる。
【００８８】
前記のように電話番号メモリ２９は多数の電話番号を貯蔵しており、添付した図３のように前記電話番号は第１グループと第２グループに分類される。前記第１グループは停止画像を表すディジタル電気信号を受信する機能がない遠隔装置に該当する電話番号であり、第２グループは停止画像を表すディジタル電気信号が受信できる遠隔装置に該当する電話番号である。
【００８９】
前記第２グループをより詳しく説明すると、第２グループは再び第１サブグループと第２サブグループに分類される。前記第１サブグループは一フレーム当たり６０、０００画素数である第１形態の画像信号を含む電磁気信号が受信できる遠隔装置に該当する電話番号であり、第２サブグループは第１形態の画像信号を受信しない遠隔装置に該当するもので、一フレーム当たり２４０、０００画素数である第２形態の画像信号を含む電磁気信号が受信できる遠隔装置に該当する電話番号である。
【００９０】
ダイヤリングした電話番号に従う画像信号伝送動作をより詳しく説明すると、前記第２比較部４７はダイヤリングした電話番号と電話番号メモリ２９に貯蔵された電話番号を比較し、その比較結果によって前記第１減少部４２がディジタルメモリ１４から出力される画像信号の画素数を減少出力したり、また減少せずそのまま出力する。
【００９１】
例えば、実際電話番号が“０３−５５６６−０３５３”である短縮電話番号“１１１”が第１グループに分類され、実質電話番号が“０３−５５６６−０６２２”である短縮電話番号“１１２”が第２グループの第１サブグループに分類され、実際電話番号が“０５３−４６５−７０１０”である短縮電話番号“１１３”が第２グループの第２サブグループに分類されて電話番号メモリ２９に各々貯蔵されており、実際電話番号が“０５３−４６５−７０８１”である短縮電話番号“１１４”は電話番号メモリ２９に貯蔵されていない番号と仮定しよう。
【００９２】
前記使用者が“１１１”をダイヤリングすると、ダイアル２８は実際電話番号である“０３−６６５５−０３５３”を第２ミックシング部２５に出力することによって該当信号が無線電話システムによって形成された電磁気信号に伝送された。
【００９３】
次に第１比較部３０をダイヤリングした“１１１”が電話番号メモリ２９に貯蔵された特定電話番号中ある一つと一致するかを比較する。前記ダイヤリングした“１１１”は第１グループに分類された電話番号と一致することによって前記第１比較部３０は該当信号を第２禁止部３１に出力して、組合部２３が印加される音声信号と画像信号を組み合わせて出力することを許容し、選択部３４が画像信号を選択して出力するように許容する。
【００９４】
また“１１２”または“１１３”をダイヤリングすると、第１比較部３０は第２禁止部３１が組合部２３が印加される音声信号と画像信号を組合せて出力することを許容し、選択部３４が画像信号を選択出力するように許容する。
【００９５】
かかる場合にまたは第２比較部４７と制御部４３が作動してディジタルメモリ１４から出力される画像信号の画素数を選択的に可変させる。
すなわち、“１１３”をダイヤリングすると、第２比較部４７はダイヤリングした電話番号が第２サブグループに該当する電話番号と一致するものに該当する信号を出力し、それによって前記制御部４３が第１減少部４２を作動させないことによって、前記ディジタルメモリ１４から出力された画像信号は第１変更部４１をそのまま通過して第１ミックス部３４に出力される。即ち、一フレーム当たり２４０、０００画素数である画像信号の画素数が減少なく出力される。
【００９６】
しかし、“１１２”をダイヤリングすると、第２比較部４７はダイヤリングした電話番号が第１サブグループに該当する電話番号と一致するものに該当する信号を出力し、それによって前記制御部４３が第１減少部４２を作動させることによって前記ディジタルメモリ１４から出力された画像信号は第１変更部４１の第１減少部４２によって画素数が減少されて第１ミックス部３４に出力される。すなわち、画素数が２４０、０００から６０、０００に減少出力される。
【００９７】
また前記“１１４”をダイヤリングするとこれは電話番号メモリ２９に貯蔵されたいずれのグループにも該当しないので前記制御部４３を第１減少部４１を作動させない。従って、前記第２比較部４７はダイアル２８から出力される電話番号と前記ディジタルメモリ１４から出力された画像信号は第１変更部４１をそのまま通過して第１ミックス部３４に出力される。
【００９８】
かかるようにＣＣＤカメラ１０または入出力インタペース４４、メモリカード４６から出力される画像信号を伝送しようとする他の装置の画像信号処理能力によって、画像信号の画素数を減少して出力したり、また画素数を変更せずに出力することによって、伝送時間を短縮し、伝送される画像信号を受信することと同時に画像信号を伝送することができる。
【００９９】
【発明の効果】
以上の本発明の実施例によってディジタルスチルカメラによって撮影された停止画像を表すディジタル電気信号を受信してディスプレーできる無線電話を一つの分離できないハウジング内に内蔵することによって混信ない画像信号と音声信号を適切に受信でき、また一般的な方式で通話できるだけでなく表示される画像を見ながら通話できる。
また、本発明は画像信号と音声信号を同時に通信でき、画像信号を受信する機能がない通常のものを含む多様な形態の電話機と通信できる。
また本発明は通常のコンピュータが内蔵された多様な形態の遠隔装置と通信でき、最少の通信時間で同一な種類のディジタルスチルカメラと通信できる。
本発明は前記のような多様な効果を有する無線電話を一つの分離できないハウジング内に内蔵させた遠隔通信できるディジタルスチルカメラを提供する。
【図面の簡単な説明】
【図１】本発明の実施例によるディジタルスチルカメラの斜視図である。
【図２】本発明の実施例によるディジタルスチルカメラの構成ブロック図である。
【図３】本発明の実施例によるディジタルスチルカメラの動作概念図である。
【符号の説明】
１０：ＣＣＤカメラ
１２：復調部
２３：組合部
２４：選択部
２６：Ｄ／Ａ変換部
２７：変調部
２９：電話番号メモリ
３０：第１比較部
３１：第２禁止部
３２：画像送信要請スイッチ
４７：第２比較部
【図１】
0004034423.tif 000002
【図２】
0004034423.tif 000003
【図３】
0004034423.tif 000004